(57)【要約】【課題】既存のボックス型冷ケースの側壁の上端部に取り付ける、開閉ガラス扉の設置に好適で、且つ商品表示具を商品近くで設置できるレール構造体を提供すること。【解決手段】上方開口のボックス型冷ケースの対峙する一対の側壁間に差し渡し状に設置されるレール構造体１０であって、長尺状のレール本体部１とレール本体部１の両端に付設される一対の側壁の係止部に係止する係止片２とを有し、レール本体部１の長手方向に延びる両側面には、ガラスが嵌るガイド溝が上下３段３１〜３３に形成され、レール本体部１の上端部には、長手方向に直交する方向に凹断面又は凸断面の長手方向に延びる第１嵌合部４が形成されてなる。【選択図】図１
0003183016.tif 000002
【実用新案登録請求の範囲】
【請求項１】
上方開口のボックス型冷ケースの対峙する一対の側壁間に差し渡し状に設置されるレール構造体であって、
長尺状のレール本体部と該レール本体部の両端に付設される該一対の側壁の係止部に係止する係止片とを有し、
該レール本体部の長手方向に延びる立設状の両側面には、ガラスが嵌るガイド溝が上下３段に形成され、該レール本体部の上端部には、長手方向に直交する方向に凹断面又は凸断面の長手方向に延びる第１嵌合部が形成されてなることを特徴とするレール構造体。
【請求項２】
該レール本体部の下端部には、長手方向に直交する水平方向外側に突出し、長手方向に延びる一対の鍔部が形成されてなることを特徴とする請求項１記載のレール構造体。
【請求項３】
該第１嵌合部に着脱自在且つスライド自在に嵌合する補助具を備えることを特徴とする請求項１または２に記載のレール構造体。
【請求項４】
該補助具は、該第１嵌合部に嵌合する基部と、該基部に、該レール本体部の長手方向と直交する鉛直方向を回転軸として回転自在に嵌合するバインダー本体部を有することを特徴とする請求項１〜３のいずれか１項に記載のレール構造体。
【請求項５】
該レール本体部の長手方向の中央の下面には、該一対の鍔部に嵌合する嵌合部を有する、下方に延びる高さ調整ネジを付設したことを特徴とする請求項１〜４のいずれか１項に記載のレール構造体。
【請求項６】
該レール本体部は、上方に突のアーチ状であることを特徴とする請求項１〜５のいずれか１項に記載のレール構造体。
【請求項７】
正面視及び側面視がそれぞれ左右対称であることを特徴とする請求項１記載のレール構造体。
【考案の詳細な説明】
【技術分野】
【０００１】
本考案は、上方開口のボックス型冷ケースの対峙する一対の側壁間に差し渡し状に設置される、開閉ガラス扉が嵌め込まれるレール構造体に関するものである。
【背景技術】
【０００２】
スーパーやコンビニで使用されている冷凍物を陳列するボックス型冷ケースは、図１９に示すように、上方が開口のものが多い。このような上方開口のボックス型冷ケース１００は、顧客が冷凍物を取り出し易くて都合がよい。また、冷気を封じ込めるため、例えば収納ボックス１０１の上方に付設された吹き出し口１０２から、冷気Ａを吹き出し、側板の内側下方に付設された冷気吸引口１０３から冷気Ｅを吸引し、外気と接触を断って収納ボックス内の温度が低下しないようにしている。
【０００３】
【考案の概要】
【考案が解決しようとする課題】
【０００４】
しかしながら、従来の上方開口のボックス型冷ケースは、冷気を内部循環しているとは言え、物理的な密閉空間を形成するのではないため、冷気が逃げ易い。このため、所定の冷凍温度を維持するために電力使用量は増大し、近年の電気料金の値上がりによる運転コストの上昇は避けらないという問題がある。従って、既存のボックス型冷ケースの側壁の上端部に取り付ける、開閉ガラス扉の設置に好適なレール構造体の提供が求められていた。また、従来の上方開口のボックス型冷ケースの商品情報は、商品から遠くに設置された表示具で行なっていたため、商品の近くに表示具を設置できる補助什器の開発が求められていた。
【０００５】
従って、本考案の目的は、既存のボックス型冷ケースの側壁の上端部に取り付ける、開閉ガラス扉の設置に好適で、且つ商品表示具を商品近くで設置できるレール構造体を提供することにある。
【課題を解決するための手段】
【０００６】
すなわち、本考案は、上記課題を解決するものであって、上方開口のボックス型冷ケースの対峙する一対の側壁間に差し渡し状に設置されるレール構造体であって、長尺状のレール本体部と該レール本体部の両端に付設される該一対の側壁の係止部に係止する係止片とを有し、該レール本体部の長手方向に延びる立設状の両側面には、ガラスが嵌るガイド溝が上下３段に形成され、該レール本体部の上端部には、長手方向に直交する方向に凹断面又は凸断面の長手方向に延びる第１嵌合部が形成されてなることを特徴とするレール構造体を提供するものである。
【０００７】
また、本考案は、該レール本体部の下端部には、長手方向に直交する水平方向外側に突出し、長手方向に延びる一対の鍔部が形成されてなることを特徴とする前記レール構造体を提供するものである。
【０００８】
また、本考案は、該第１嵌合部に着脱自在且つスライド自在に嵌合する補助具を備えることを特徴とする前記レール構造体を提供するものである。
【０００９】
また、本考案は、補助具は、該第１嵌合部に嵌合する基部と、該基部に、該レール本体部の長手方向と直交する鉛直方向を回転軸として回転自在に嵌合するバインダー本体部を有することを特徴とする前記レール構造体を提供するものである。
【００１０】
また、本考案は、該レール本体部の長手方向の中央の下面には、該一対の鍔部に嵌合する嵌合部を有する、下方に延びる高さ調整ネジを付設したことを特徴とする前記レール構造体を提供するものである。
【００１１】
また、本考案は、該レール本体部は、上方に突のアーチ状であることを特徴とする前記レール構造体を提供するものである。
【００１２】
また、本考案は、正面視及び側面視がそれぞれ左右対称であることを特徴とする前記レール構造体を提供するものである。
【考案の効果】
【００１３】
本考案によれば、既存のボックス型冷ケースの側壁の上端部に、係止用枠体を取り付け、次いで本考案のレール構造体を取り付けることで、上方を塞ぐ開閉ガラス扉の設置が可能となる。また、冷ケース内の商品の商品名や価格を表示したカード類の装着も容易となる。
【図面の簡単な説明】
【００１４】
【図１】本考案の実施の形態におけるレール構造体の斜視図である。
【図２】図１のＸ−Ｘ線に沿って見た断面図である。
【図３】図１のＹ−Ｙ線に沿って見た断面図である。
【図４】図１のレール構造体の端部の拡大断面図である。
【図５】図１のレール構造体の使用状態図である。
【図６】使用状態のレール構造体の長手方向の中央部における断面図である。
【図７】使用状態のレール構造体の端部の拡大断面図である。
【図８】使用状態のレール構造体の端部の他の拡大断面図である。
【図９】固定ガラスの固定方法を説明する図である。
【図１０】補助具の斜視図である。
【図１１】使用状態のレール構造体の端部の拡大断面図である。
【図１２】使用状態のレール構造体の端部近傍の拡大斜視図である。
【図１３】図１のレール構造体の他の使用状態図である。
【図１４】図１のレール構造体の他の使用状態図である。
【図１５】図１のレール構造体の他の使用状態図である。
【図１６】図１のレール構造体の他の使用状態図である。
【図１７】他の実施の形態例におけるレール構造体の断面図である。
【図１８】他の実施の形態例におけるレール構造体の断面図である。
【図１９】従来の冷ケースの斜視図である。
【考案を実施するための形態】
【００１５】
本考案の実施の形態におけるレール構造体を図１〜図４を参照して説明する。レール構造体１０は、上方開口のボックス型冷ケース１００の対峙する一対の側壁１０４、１０５間に差し渡し状に設置されるものである。上方開口のボックス型冷ケース１００は、図１９に示すような従来のものを言う。すなわち、上方開口のボックス型冷ケース１００は、長手方向に延びる前側壁１０４と、前側壁１０４と対峙する長手方向に延びる後側壁１０５と、前側壁１０４と後側壁１０５を接続する左右側壁１０６、１０７と、底板１０８とから形成されている。４つの側壁はガラス板であってもよい。なお、ボックス型冷ケース１００は、図１９に示すような中央に隔壁１０９があってもなくてもよい。また、冷ケースとしては、特に制限されず、冷蔵ケース又は冷凍ケースが挙げられる。また、平面視は四角形であり、通常は長手方向と短手方向があるが、これに限定されず、正四角形であってもよい。
【００１６】
冷ケースの側壁１０４〜１０７には、図１１及び図１２に示すように、本考案のレール構造体１０の係止片２が係止する係止部９１を有する長尺状枠体９ａが、また、係止部９１の上方に開閉ガラス扉の取っ手の端が当たる当接面９２がそれぞれ形成されたものがよい。これにより、本考案のレール構造体１０の係止片２を係止部９１に係止するだけで、既存の冷ケース１００にレール構造体１０設置することができる。なお、枠体９ａとレール構造体１０との固定は螺子止めによることが好ましい。
【００１７】
レール構造体１０は、長尺状のレール本体部１とレール本体部１の両端に付設される一対の側壁の係止部９１に係止する係止片２とを有する。レール構造体１０及びレール本体部１は、正面視及び側面視がそれぞれ左右対称である
【００１８】
レール本体部１は、本例ではアーチ状の長尺物である。これにより、対峙する冷ケースの側壁間にアーチ状に差し渡しで設置することができ、スライドガラスの枠組みを形成できる。また、レール本体部１の長手方向に延びる立設状の両側面には、ガラスが嵌るガイド溝が上下３段３１、３２、３３に形成されている。ガイド溝は、側板面から外側に水平に延びる上下４つの鍔部材によって形成されている。すなわち、最下段のガイド溝３１は、第１鍔部材３１ａと第１鍔部材３１ａとは所定寸法、上方に形成される第２鍔部材３１ｂ間に形成され、中段のガイド溝３２は、第２鍔部材３１ｂと第２鍔部材３１ｂとは所定寸法、上方に形成される第３鍔部材３１ｃ間に形成され、最上段のガイド溝３３は、第３鍔部材３１ｃと第３鍔部材３１ｃとは所定寸法、上方に形成される第３鍔部材３１ｄ間に形成されている。鍔部材間の寸法は、ガラスの厚みよりやや大である。これにより、ガイド溝内をガラス扉がスライド移動することができる。
【００１９】
最下段のガイド溝３１には、手前側Ｘのスライドガラス２０２が嵌り、中段のガイド溝３２には、手前側と対峙する位置にある向こう側Ｙのスライドガラス２０３が嵌り、最上段のガイド溝３３には、固定ガラス２０１が嵌ることになる（図５参照）。固定ガラス２０１は、レール本体部１の中央部に設置される。手前側のスライドガラス２０２とは、手前側の端に取っ手３１１があり、取っ手３１１を中央側に向けて押すことで、手前側を開き、取っ手３１１を手前側に引くことで、手前側を閉めるガラスを言う。また、向こう側のスライドガラス２０３とは、向こう側における手前の端に取っ手３１２があり、取っ手３１２を中央側に向けて押すことで、手前側を開き、取っ手３１２を手前側に引くことで、向こう側における手前側を閉めるガラスを言う。なお、手前側のスライドガラス２０２を全開し、向こう側のスライドガラス２０３を全開とした場合、レール本体部１の中央部に上方から下方に向けて、固定ガラス２０１、向こう側のスライドガラス２０３、手前側のスライドガラス２０２の都合３枚のガラスが積層状に集まることになる（図６参照）。
【００２０】
レール本体部１の上端部には、長手方向に直交する水平方向に凸断面状（鍔状）に突出し、長手方向に延びる第１嵌合部４、４が形成されている。これにより、補助具６の設置が可能となる。補助具６は、レール本体部１に着脱自在且つ長手方向にスライド自在に嵌合しており、第１嵌合部４、４に嵌合する基部６１と、基部６１にレール本体部の長手方向と直交する鉛直方向を回転軸６３として回転自在に嵌合するバインダー本体部６２を有する。バインダー本体部６２は、基部６１に回転自在に嵌合する縦軸部６２１と縦軸６２１から上方に二手に分かれた上部開口がほぼ閉じられている一対の把手部６２２からなる（図２及び図１０（Ａ）参照）。なお、図１及び図２は補助具６がレール本体部１の中央に位置した状態の図である。補助具６には、商品表示板などを挟むことができ、商品に近い位置での設置が可能となる。
【００２１】
レール本体部１の下端部には、長手方向に直交する水平方向外側に突出し、長手方向に延びる一対の鍔部５、５が形成されている。また、レール本体部１の中央の底板には、貫通孔３４が形成されている。これにより、高さ調整ネジ７の設置位置が判り易くなり、且つ嵌合が容易となる。高さ調整ネジ７は、レール本体部１の長手方向の中央の下面に固定されるものであり、移動はできない。これにより、中心位置の高さが決まり、左右対称に設置できる。高さ調整ネジ７は、両鍔部５、５に嵌合する上方基部７２と、基部７２から下方に延びるネジ調整本体部７１からなる。基部７２には、中心にレール本体部１の底板の貫通孔３４に嵌る上方に延びる突起７１２が形成され、両側端には上方に延びる嵌合用突起７１１が形成されている。ネジ調整本体部７１は、公知の構造のものである。すなわち、下方先端側に内蔵されたナット７１４に、逆さボルトネジ７１５を螺合させ、ボルト頭７１６を設置面としたものである（図２参照）。レール本体部１への取付けは、高さ調整ネジ７を斜め位置から突起７１２を貫通孔３４に入れ込み、一方の嵌合用突起７１１を両鍔部５の一方にあてがい、姿勢を鉛直方向に傾けながら、他方の嵌合用突起７１１を両鍔部５の他方に押し込み嵌合させればよい。
【００２２】
係止片２は、正面視が矩形状の薄肉板２１である（図４）。また、係止片２の上端部には、接続用アーム２２が形成されている。係止片２は、レール本体部１と接続する連結部材８と接続用アーム２２を介してレール本体部１と接続している。連結部材８は、レール本体部１の端部に嵌るケース状の連結本体部８１と、接続用アーム２２をネジ８３で螺子止める一対の腕部８２とからなる。また、ケース状の連結本体部８１とレール本体部１の固定は、上方から下方に延びるネジ（不図示）で行なえばよい。なお、レール本体部１の天面の浅底の凹溝３９は、このネジ頭が嵌る溝である。なお、図４は、一対の係止片２の一方（手前側）を示すものであるが、他方（向こう側）の係止片２についても同様である。
【００２３】
次に、冷ケース１００の一対の側壁の係止部９１について図１１及び図１２を参照して説明する。冷ケース１００は、通常、上方開口のボックス型であり、４つの側壁を有する。従って、該側壁の上端部に長尺状の枠体９ａを形成し、この枠体９ａに係止部９１設けることになる。本例では、枠体９ａは、側壁の上端部２５２に嵌合する下方開口の樹脂製第１長尺状枠体２０１ａと、第１長尺状枠体２０１ａに嵌合する下方開口の金属製第２長尺状枠体２０２ａとを備える。なお、図１１中、端面として表われる部材は、長手方向に連続する。なお、図１１において、側壁の上端部２５２、第１長尺状枠体２０１ａ及び第２長尺状枠体２０２ａは断面を示すが、各部材の形状を判り易くするため、ハッチングの一部を省略した。
【００２４】
第１長尺状枠体２０１ａの内壁面には、内側へ斜め上方に延びる髭状の突起２１３が形成されている。これにより、第１長尺状枠体２０１ａを側壁の上端部２５２に嵌め込む際、突起２１３は嵌め込む方向に寝るため抵抗なく押し込め、嵌合後は、抜ける方向に突っ張り状となるため、外れ難い。
【００２５】
第２長尺状枠体２０２ａは、第１長尺状枠体２０１ａに嵌合する所定高さの前後側板２１１、２１２と天板２１３で形成される下方開口のアルミニウム製の枠体である。第２長尺状枠体２０２ａは、第１長尺状枠体２０１ａを内側に締め付けながら強く嵌め込まれる。この際、第１長尺状枠体２０１ａの突起２１３及び第２突起２１８が変形するため、嵌合は可能で且つ強く嵌る。この第２長尺状枠体２０２ａの後側板２１２の下端に、下端から外側斜め上方に延びる突起状の係止部９１を形成すればよい。
【００２６】
第２長尺状枠体２０２ａの上方には、第２長尺状枠体２０２ａと一体である、前方に突の孤状断面の上部天板２１４と第３後側板２１５を有する任意の構成要素であるＰＯＳレール２２２を形成している。ＰＯＳレール２２２を形成することで、冷ケース内の商品情報を近い位置で表示することができる。これにより、後側板２１５の裏面が、開閉ガラス扉の取っ手３１１の端が当たる当接面９２となる。
【００２７】
次に、レール構造体１０の使用方法について説明する。先ず、冷ケース１００の側壁の上端部２５２に長尺状の枠体９ａを設置する（図１１及び図１２参照）。次いで、例えば３つのレール構造体１０を準備し、長手方向に所定のピッチで離間して設置する（図１３参照）。レール構造体１０の枠体９ａへの設置は、枠体９ａに対して、上方から下方にレール構造体１０を降ろし、レール構造体１０の係止片２を、枠体９ａの係止部９１に係止させることで行なわれる。次いで、固定ガラス２０１を準備する。固定ガラス２０１は、図９に示すように、前後両端部に枠部２８１が付設されている。また、枠部２８１のレール本体部側は、傾斜状の腕部２８２となっている。腕部２８２の先端はレール本体部１に螺子止めされる。また、傾斜状の腕部２８２に取っ手３１１の後端が当たり、取っ手３１１の後端と枠部２８１の前端間に隙間ができるため、取っ手を掴んでいる指が挟まれることを防止する。なお、枠部２８１及び腕部２８２は、固定ガラス２０１の向こう側の端部にも同様に設置されている。また、離間して設置されている他のレール構造体１０への固定ガラス２０１の設置は、枠部付き固定ガラス２０１の長手方向における幅寸法より大きい寸法の幅で予め広げておき、枠部付き固定ガラス２０１を設置姿勢にした後、他のレール構造体１０をガイド溝３３に腕部２８２が嵌るように狭め、同様の螺子止めによる固定を行う。これにより２つのレール構造体１０は、固定ガラスを固定した状態で一体化物となる。
【００２８】
次いで、この一体化物の枠体９ａに係止させている手前の端を持ち上げて、レール構造体１０と枠体９ａの係止を外す。これにより、手前のガイド溝３１の開口が表われるため、手前側スライドガラス２０２をこの最下段のガイド溝３１へスライドにより、嵌め込めばよい。同様にして、手前側とは反対側に周り、同様の方向により、手前側スライドガラス２０３をこの中段のガイド溝３２へスライドにより、嵌め込めばよい。手前側スライドガラス２０２を中央側へスライドさせれば、手前が開き、向こう側のスライドガラス２０３を中央側へスライドさせれば、向こう側における手前が開くことになる。なお、図１３は、２つのスライドガラスが閉まった状態であり、冷ケース内を効率的に冷やすことができる。なお、図１３〜図１６は冷ケース本体の記載を省略したものである。なお、レール構造体１０は、冷ケース１００の長手方向の両端に設置してもよい。
【００２９】
次に、レール構造体１０の他の使用方法について、図１３〜図１６を参照して説明する。図１３において、３つのレール構造体１０が設置され、ひとつのレール構造体１０に４つの補助具６が設置されている。４つの補助具６は、２つを一組としたものである。また、補助具６は、商品情報を記載した薄肉の情報カードＡの長手方向が、レール構造体１０の長手方向に一致するように、バインダー本体部６２をセットしたものである。すなわち、バインダー本体部６２の位置は、図１０（Ａ）の補助バンインダー６のバインダー本体部６２を９０度回転させたものである（図１０（Ｂ））。これにより、ひとつのレール構造体１０において、異なる２箇所で情報カードＡをセットできる。
【００３０】
図１４において、３つのレール構造体１０が設置され、ひとつのレール構造体１０に１つの補助具６が設置されている。補助具６は、レール構造体１０の中央部に設置し、商品情報を記載した薄肉の情報カードＢの長手方向が、レール構造体１０の長手方向と直交する方向に一致するように、バインダー本体部６２をセットしたものである。すなわち、バインダー本体部６２の位置は、図１０の補助バンインダー６のバインダー本体部６２と同様の位置である。これにより、３つのレール構造体１０に、前後方向の中央の１箇所で情報カードＡをセットできる。なお、図１４において、補助具６の３つを全体的に前後に移動させれば、適宜の位置で情報カードＡを固定できる。
【００３１】
図１５において、板状のステージ台Ｃと、前後一対の円形断面の脚部材１５１、１５１と一対の脚部材１５１、１５１を固定すると共に、レール本体部１に嵌合する嵌合部を有する補助部材１５２を準備する。補助部材１５２の嵌合部をレール本体部１に嵌合させ、一対の脚部材１５１、１５１の上端を、ステージ台Ｃに固定する。これにより、３つのレール構造体１０に、前後方向の中央の２箇所で長手方向に延びるステージ台Ｃをセットできる。なお、図１５において、補助部材１５２の３つを全体的に前後に移動させれば、適宜の位置でステージ台Ｃを固定できる。
【００３２】
図１６において、長さ調整可能な一対の脚部１５４と一対の脚部１５４の上端に固定される吊り下げ用横棒部材１５６を備える吊り下げ表示具Ｄと、レール本体部１に嵌合する嵌合部を有する補助部材１５３を準備する。補助部材１５３の嵌合部を両側のレール構造体１０のレール本体部１に嵌合させ、補助部材１５３に、脚部材１５４の下端を固定する。これにより、遠くにある２つのレール構造体１０間に、前後方向の中央の１箇所で長手方向に延びる吊り下げ表示具Ｄをセットできる。なお、図１６において、補助部材１５３の２つを全体的に前後に移動させれば、適宜の位置で吊り下げ表示具Ｄを固定できる。
【００３３】
本考案のレール構造体において、上記実施の形態例に限定されず、種々の変形を採ることができる。レール本体部の上端部に形成される長手方向に直交する水平方向に凸状（鍔状）の長手方向に延びる第１嵌合部は、上記実施の形態例に限定されず、例えば、図１７に示すように、レール本体部の上端部の両側に形成される長手方向に直交する水平方向に凹断面状の長手方向に延びる嵌合部４ａ、４ａであってもよい。すなわち、嵌合部４ａの凹断面形状は、上下の鍔部材４１１、４１２により形成されたものである。また、図１８に示すように、図１７の凹断面形状が内側に向くような嵌合部４ｂ、４ｂであってもよい。すなわち、嵌合部４ｂ、４ｂは、第１嵌合部４、４の鍔部の両端から上方に屈曲し、更に内側に屈曲して水平状に延びる部材で、凹断面形状が内側に向いてその開口が互いに向き合うような嵌合溝である。レール本体部１の形状は、アーチ状に限定されず、直線状であってもよい。また、開閉ガラス扉の設置溝は、上記実施の形態例に限定されず、例えば、手前側の開閉ガラス扉を中段のガイド溝に嵌め込み、向こう側に開閉ガラス扉を最下段のガイド溝に嵌め込んでもよい。
【産業上の利用可能性】
【００３４】
本考案によれば、既存のボックス型冷ケースの側壁の上端部に、係止用枠体を取り付け、次いで本考案のレール構造体を取り付けることで、上方を塞ぐ開閉ガラス扉の設置が可能となる。これにより、冷ケース内を効率的に冷やせ、電気使用量を低減でき、運転コストを削減できる。また、冷ケース内の商品の商品名や価格を表示したカード類の装着を、商品に近い位置で行なうことができる。
【符号の説明】
【００３５】
１    レール本体部
２    係止片
３    ガイド溝
４、４ａ、４ｂ    第１嵌合部
５    両鍔部
６    補助具
７    高さ調整ネジ
８    連結部材
１０    レール構造体
３１    最下段ガイド溝
３２    中段ガイド溝
３３    最上段ガイド溝
【図１】
0003183016.tif 000003
【図２】
0003183016.tif 000004
【図３】
0003183016.tif 000005
【図４】
0003183016.tif 000006
【図５】
0003183016.tif 000007
【図６】
0003183016.tif 000008
【図７】
0003183016.tif 000009
【図８】
0003183016.tif 000010
【図９】
0003183016.tif 000011
【図１０】
0003183016.tif 000012
【図１１】
0003183016.tif 000013
【図１２】
0003183016.tif 000014
【図１３】
0003183016.tif 000015
【図１４】
0003183016.tif 000016
【図１５】
0003183016.tif 000017
【図１６】
0003183016.tif 000018
【図１７】
0003183016.tif 000019
【図１８】
0003183016.tif 000020
【図１９】
0003183016.tif 000021